(57)【要約】【課題】デジタル放送の受信において、複数の放送局および複数のサービスの切換えを、常に同じ感覚で容易に行える手段を提供する。【解決手段】選局キー番号と、このキーにプリセットした複数の放送局を記憶するメモリ７を備え、制御部６が受信可能判定を行った後、その地域で受信可能な放送局を、同じ系列の放送局がプリセットされている選局キーにプリセットするようにメモリ７を書き換える。そして、選局キーが押される毎に、制御部６がメモリ７のプリセット情報を基に、複数の放送局および複数のサービスを切換える。【選択図】図１０
2006100953.tif 000002
【特許請求の範囲】
【請求項１】
チャンネルプリセット機能を備えたデジタル放送受信機において、１つの選局キーに複数の放送局および複数のサービスを割り当てる手段を備えたデジタル放送受信機。
【請求項２】
１つの選局キーを繰り返し押すことによって、その選局キーにプリセットされている複数の放送局および複数のサービスを切換えることができる請求項１記載のデジタル放送受信機。
【請求項３】
１つの選局キーに複数の放送局を割り当てる際、同じ系列局を同じ選局キーに割り当てる手段を備えた請求項１記載のデジタル放送受信機。
【請求項４】
請求項３記載の割り当て処理において、複数の系列に属するクロスネット放送局を、所属するすべての系列に対して処理を行い、それぞれの系列に対応した複数の選局キーに割り当てることを特徴とする請求項３記載のデジタル放送受信機。
【請求項５】
請求項３記載の割り当て処理において、複数の系列に属するクロスネット放送局を、所属する全ての系列に対して処理を行わず、代表的な系列をその所属系列として処理を行い、１つの選局キーに割り当てることを特徴とする請求項３記載のデジタル放送受信機。
【請求項６】
請求項３記載の割り当て処理において、系列に属さないまたは系列情報が取得できない放送局を空きの選局キーに割り当てることを特徴とする請求項３記載のデジタル放送受信機。
【請求項７】
プリセット情報の保存領域を複数もち、１つを基本領域、それ以外を移動用領域に割り当て、基本領域の系列情報を元に移動用領域の割り当て処理を行うことを特徴とする請求項３記載のデジタル放送受信機。
【発明の詳細な説明】
【技術分野】
【０００１】
本発明は、移動体用デジタルテレビ放送受信機に関するものである。
【背景技術】
【０００２】
近年デジタルの地上波放送が開始された。この放送には、受信波の干渉に強いＯｒｔｈｏｇｏｎａｌ  Ｆｒｅｑｕｅｎｃｙ  Ｄｉｖｉｓｉｏｎ  Ｍｕｌｔｉｐｌｅｘｉｎｇ（「直交周波数分割多重方式」、以下「ＯＦＤＭ」。）という放送方式が用いられている。この方式は受信状態が時々刻々と変化する移動体中でのテレビ受信に好適である。
【０００３】
この技術のおかげで、ユーザーは、車中においても、鮮明な画質でテレビ視聴を楽しめるようになった。また、デジタル放送では、従来のアナログ放送より、多チャンネルの放送が可能であるため、ユーザーは、車中においても家庭用テレビ（以下「固定受信機」。）に近いデジタル放送の高い質と量の、番組を受信することが可能になった。
【０００４】
しかし、移動する車の中と動かない家の中という環境の違いにより以下の２点で、家庭用テレビと同じわけには行かない。
【０００５】
第１は、車中において、多チャンネルサービスを受けることが可能になってきたので、どのようにして多くの番組の中から所望の番組を選択するかという点である。
【０００６】
従来、固定受信機では、多チャンネル放送における選局手段として、すでにＥｌｅｃｔｒｉｃ  Ｐｒｏｇｒａｍ  Ｇｕｉｄｅ（以下「ＥＰＧ」。）を使った選局方法が普及してきている。この技術は新聞のラテ欄と同じような画面を見ながら選局等の操作ができる点で、非常に使いやすい。
【０００７】
しかし、車の中のようにテレビのために十分なスペースを確保できない場所では、画面サイズは小さくならざる得ないため、ＥＰＧでの各番組の情報は、小さくなりすぎ、却って選局しづらい。すなわち、車載用テレビには、車中で多チャンネル放送を選局するのに適した選局方法の発明が望まれる。
【０００８】
第２は、車は移動するので、地上波の放送エリアをまたがる機会が非常に多いという点である。地上波では、１つの放送局から放送される電波の到達範囲には限りがある。１つの放送局がカバーする範囲を放送エリアという。一般的に各放送エリアは、使用する物理チャンネルが異なる。そのため、受信機は、放送エリア毎にチャンネルプリセットを行う。固定受信機では、設置の際にプリセットを行う。そして固定受信機は、その位置を変更する機会は、きわめて少ないので、１度プリセットした後は、ほとんどプリセットを行う必要はない。なお、物理チャンネルとは、放送波の実の際周波数若しくは実際の周波数に対応した番号をいう。
【０００９】
しかし、車の場合は、移動するためエリアをまたがる毎にプリセットをやり直さなければならない。
【００１０】
プリセットのやり直しを頻繁に行わなければならないということは、次のような不便さを生じさせる。各放送エリアでは、物理チャンネルが異なるだけでなく、その放送内容も異なる。そのため、プリセットを行うと、視聴中であった番組は他のチャンネルに移っている場合が多い。つまり、車載用テレビで同一番組を連続視聴するには、エリアをまたがる毎に、先ほどまで見ていた番組を再度探さなければならない。
【００１１】
以上の点を解決する手段として、各放送エリアの受信可能な放送局とそのチャンネル番号および周波数を記憶させたデータベースをあらかじめ構築し、ＧＰＳからの位置情報と合わせてその地域で受信可能な放送局を特定することで、受信地域が変わってもプリセットしていた放送局または同じ系列の放送局を同じ選局キーにプリセットする発明が開示されている（特許文献１参照）。
【００１２】
以下にデジタルＴＶにおけるチャンネルプリセット技術とともに、特許文献１の内容について概観しておく。
【００１３】
放送受信機におけるチャンネルプリセット機能は、ユーザーが放送受信機に対して選択することのできるリモコンなどの選局手段が持つ複数のキーそれぞれ（以後「選局キー」。）に、受信可能な放送局の物理チャンネルを自動的に割り当てる機能である。すなわち、この機能を動作させた後、ユーザーは、選局キーを操作するだけで、所望の放送局を選局できる。選局キーの操作とは、通常は選局キーを押し下げることである。
【００１４】
従来のアナログテレビ放送では、受信機は物理チャンネルを順番に選局し、映像信号を復調できるチャンネルをユーザーが選択可能なチャンネル番号に自動的に割り付ける機能が実現されていた。この方法では、放送受信機の各メーカーが予め決めておいたルールに従って、復調できた物理チャンネルをユーザーの選択可能なチャンネル番号に割り当てられていた。
【００１５】
特許文献１は、ＧＰＳからの位置情報と放送エリア毎の放送局とその系列情報を有するデータベースを用い、走行によって放送エリアが変わると、データベース中の系列局の情報に基づいて、従前と同じ選局キーに割り当てる技術を開示している。このようにすることで、プリセットの煩雑さと、車載テレビにおけるユーザーの選局時の負担を軽減することができる。
【００１６】
デジタル放送では、放送波の中に映像と音声の信号以外のさまざまな付加的な情報を含ませることができる。このため、放送する側が、自分の放送をユーザーの放送受信機において、何番の選局キーにセットして欲しいかという情報が放送波の中に重畳されている。
【００１７】
この情報はリモコンキーＩＤ（ｒｅｍｏｔｅ＿ｃｏｎｔｒｏｌ＿ｋｅｙ＿ｉｄ）と呼ばれる情報である。例えば、Ａ放送局のリモコンキーＩＤが「１」ならば、選局キー「１」にＡ放送局を割り当ててほしい、ということを意味する。このリモコンキーＩＤに従ってチャンネルプリセットを行う受信機は、どのメーカーの受信機であっても、Ａ放送局の物理チャンネルの番号によらず、「１」の選局キーに割り当てられる。現在の家庭用のデジタル放送受信機では、リモコンキーＩＤを利用したチャンネルプリセット方法を採用している場合が多い。
【特許文献１】特開平１１−３３１７１７号公報
【発明の開示】
【発明が解決しようとする課題】
【００１８】
上記で述べたように、車載テレビで地上デジタル放送を楽しむためには、多チャンネルからの選局操作と言う点と、チャンネルプリセットという点について、固定受信機にはない工夫を行う余地がある。本発明で解決しようとする課題はこれらの点に関するものである。
【００１９】
すなわち、車中という限られた環境で、いかに簡単な操作で選局をし、プリセットを頻繁に行っても同一番組を継続的に視聴できるための方法もしくは装置等を提供するものである。
【００２０】
すなわち、車などの移動受信では簡単な操作で選局できるようにするため、ユーザー操作用のキーをできるだけ少なくすることが望まれるという要求を満たすことが必要である。すなわち、受信可能な放送局が多数存在する場合、従来のチャンネルプリセット方法では選局キーが足りなくなるという課題がある。
【００２１】
さらに、デジタル放送受信機において、他の地域に移動したときにもリモコンキーＩＤに従ってプリセットを行うと、同じ系列の放送局でも別の選局キーに割り当てられることがあるため、どの選局キーにどの放送局が割り当てられたかを再度覚え直さなければならず、同じ番組を継続視聴したい場合に非常に不便である。
【００２２】
また、デジタル放送においては１つの放送局が複数のサービスを同時に放送することがあり、それらの複数のサービスを切換える手段はプリセットのための選局キーには用意されていないため、別途キーやメニューを設ける必要があり操作性が低下するという課題があった。
【００２３】
本発明はこのような問題点を解決するものであり、全ての受信可能な放送局を限られた数の選局キーに割り当てることができ、かつ地域を移動しても容易に同じ系列の複数の放送局を選局することと、その放送局で同時に放送されている複数のサービスを切換えることを目的とする。
【課題を解決するための手段】
【００２４】
本発明は、チャンネルサーチ時に受信可能と判定された放送局を、同じ系列の放送局はまとめて１つの選局キーにプリセットする手段を提供する。
【発明の効果】
【００２５】
本発明のデジタル放送受信機は、１つの選局キーに同じ系列の複数の放送局をプリセットできるため、選局キー数以上の放送局がプリセットできる。なおかつ同じ選局キーを押すという簡単な操作で同じ系列の放送局の選局およびサービスの切換えができるため、ユーザーの操作性が向上するという利点がある。
【発明を実施するための最良の形態】
【００２６】
以下、本発明の実施の形態を、図面を参照して説明する。図１は本発明の実施の形態におけるデジタル放送受信機の構成を示すものである。図１において、１は放送電波を受信するアンテナ、２は受信した放送電波から希望の伝送チャンネルを選択するチューナー部である。チューナー部２はＲＦ信号ＳＲＦを出力する。
【００２７】
３はデジタル信号を取り出すＯＦＤＭ復調部である。ＯＦＤＭ復調部３は、入力されたＲＦ信号ＳＲＦを復調し、トランスポートストリームＴＳを出力する。
【００２８】
４は映像信号および音声信号を復号するＭＰＥＧデコード部である。ＭＰＥＧデコード部４は、入力されたトランスポートストリームＴＳをデコードし、映像信号ＳＶと音声信号ＳＡを出力する。
【００２９】
５は受信機に指示を与える操作部であり、受信機自体に取り付けられたキーやタッチパネル、または遠隔操作するためのリモコンなどが用いられる。
【００３０】
６は制御部であり、受信機全体の制御を行う。
【００３１】
７はプリセットメモリであり、選局キー番号、系列ＩＤ、各選局キーに割り当てられた放送局の放送局名、各放送局のサービス番号、物理チャンネル情報が記憶されている。
【００３２】
操作部５からは操作されたキーに対応する出力ＯＣＣが制御部６に送られ、ユーザーがどの操作を選択したかを伝える。
【００３３】
また、制御部６は、チューナー部２、ＯＦＤＭ復調部３、ＭＰＥＧデコード部４、プリセットメモリ７に対して、命令を送ったり、状態の報告を受けることで、機器全体の制御を行っている。
【００３４】
８はデコード処理された映像を出力する表示部である。表示部８は、入力された映像信号ＳＶを映像として表示する。表示部８としては、ＣＲＴや、液晶ディスプレイ装置、プラズマディスプレイ装置、その他の平面型表示装置など、映像を映し出せる機器を用いることができる。
【００３５】
９はデコードされた音声を出力する音声出力部である。音声出力部９は、入力された音声信号ＳＡを音声として出力する。音声出力部９はスピーカー装置が一般的であるが、これに限定されるものではない。
【００３６】
次に本発明の実施の形態におけるプリセット処理について、図１と図２のフロー図および図３乃至図５を参照して説明する。
【００３７】
本実施の形態において、図１のプリセットメモリは、２つの領域（以後「バンク」とも呼ぶ。）を有する。バンクはメモリ管理上の区分であって、物理的に２つの領域に分かれている必要はない。このような２つのバンクを有するプリセットメモリ７の概念図を図３に示す。２つのバンクを区別するために、１つを「基本領域３１」、他を「移動用領域３２」とする。
【００３８】
操作部５は、これら２つのバンクに対してそれぞれを選択し、操作するための手段を持つ。それぞれ、「基本領域スキャン」、「移動用領域スキャン」とする。基本領域スキャンは主として生活圏内でのプリセットに、そして移動用領域スキャンはそれ以外の地域でのプリセットのために準備される。
【００３９】
基本領域スキャンの処理から説明する。ユーザーは受信機の操作部５から制御部６に基本領域スキャン開始を指示する（図２のＳ１）。なお、図２のＳ１は「サーチ」と記載してあるが、本明細書では「スキャン」と同意に扱う。
【００４０】
制御部６はチューナー部２に対して順次チャンネルの選局を指示し、チューナー部２はアンテナ１からの放送電波を受信しＲＦ信号を出力する（図２のＳ２）。この際、物理チャンネルの番号の小さいチャンネルが選局を行うのが素直なやり方であるが、特に限定するものではない。
【００４１】
チューナー部２から得られたＲＦ信号はＯＦＤＭ復調部３でデジタル信号に復調される。このとき、得られたＲＦ信号はデジタル放送か否かがＯＦＤＭ復調部で判定される（図２のＳ３）。もし、デジタル信号でなければ、以下の処理をスキップし、次の物理チャンネルの選局に移る（図２のＳ３でＮＯの分岐）。
【００４２】
チューナー部２から得られたＲＦ信号がデジタル放送であれば、トランスポートストリームＴＳが得られる（図２のＳ３でＹＥＳの分岐）。トランスポートストリームＴＳ中には、映像および音声の情報だけでなく、そのトランスポートストリーム中に多重された番組に関わる付加情報も含まれる。制御部６は、その付加情報を受け取り付加情報の中から、そのトランスポートストリームを放送する放送局名、リモコンキーＩＤ、放送局が属する系列を番号で定義した系列ＩＤ（ａｆｆｉｌｉａｔｉｏｎ＿ｉｄ）等の情報を抜き取る。デジタルでなければ後の処理はスキップされる（図２のＳ３でＮＯの分岐）。
【００４３】
次に制御部６は、現在行われているスキャンは基本領域スキャンか、移動用領域スキャンかを判断する（図２のＳ４）。ここでは基本領域スキャンであるので、処理はＹＥＳに進む（図２のＳ４でＹＥＳの分岐）。
【００４４】
そして、制御部６は、現在受信している放送局に関する情報をリモコンキーＩＤに基づいて基本領域に記録する（図２のＳ７）。
【００４５】
次に、選局された物理チャンネルはプリセット処理で探すべき最後の物理チャンネルか否かを判断し（図２のＳ８）、最後でなければ次の物理チャンネルに移り（図２のＳ８でＮＯの分岐）、最後であれば終了する（図２のＳ８でＹＥＳの分岐）。
【００４６】
以上の動作によってプリセットされた結果、基本領域３１は図３に示すようにプリセットされる。図３の基本領域３１において、選局キー「１」にはＡ放送が割り当てられている。これはＡ放送のリモコンキーＩＤが「４」であったからである。さらに詳細にいうと、選局キー「１」には、Ａ放送の「０１１」、「０１２」、「０１３」の３つのサービスが割り当てられている。
【００４７】
ここで、「サービス」とは、放送局が編成するスケジュール化された放送番組の連続のことを示し、「編成チャンネル」とも呼ばれる。すなわち、Ａ放送は物理チャンネル「１３」という帯域を使って、３つの番組を同時に放送することができることを意味する。デジタル放送の場合は、情報をパケットという単位で分割して送信するため、このような多重伝送が可能になる。
【００４８】
１つの物理チャンネルにいくつのサービスを提供するかは、各放送局が決める。Ａ放送の場合は、３つの番組を同時に送信できるように準備をしている。このサービスは、それぞれ単独に使うこともできるし、合わせて使うこともできる。すなわち、３つのサービスを使って１つの番組を送信することもできるし、３つの異なる番組を同時に送信することもできる。
【００４９】
選局キー「１」によって、これら３つのサービスを順次選局することができる点については、図１０の説明の際に詳細に説明する。
【００５０】
なお、プリセットを行った後に、ユーザーが好みで選局キーに対する放送局の割り当てを編集することができるようにしてもよい。
【００５１】
次に移動用領域スキャンについて説明する。図４はＹＹ県の放送エリアとＺＺ県の放送エリアの関係を示す。今ユーザーはＹＹ県に主たる生活圏を有しており、ＹＹ県で基本領域スキャンを上述の説明のように行い、図３の基本領域３１を得ているとする。
【００５２】
１つの放送局からの放送波を受信できる範囲には限界があり、その限界付近の内側をフリンジエリアという。図４でいうＹＹ県の放送エリアとＺＺ県の放送エリアのフリンジエリアが重なる部分３０は、どちらの放送も受信することが可能である地域である。
【００５３】
今ユーザーは車に乗ってＰ２の地点を走行しており、移動用領域スキャンを行ったとする。ユーザーは受信機の操作部５から制御部６に移動用領域スキャン開始を指示する。移動用領域スキャンを行うと、基本領域３１の選局キーと系列ＩＤの領域が移動用領域３２にコピーされる。図２のフローでは明記していないが、移動用領域スキャンの場合はステップＳ１において、この処理を行う。コピーされる領域は図３の３５で示す領域である。なお、このコピー処理は、基本領域スキャンを行った直後に行ってもよい。
【００５４】
制御部６はチューナー部２に対して順次チャンネルの選局を指示し、チューナー部２はアンテナ１からの放送電波を受信しＲＦ信号を出力する（図２のＳ２）。
【００５５】
チューナー部２から得られたＲＦ信号はＯＦＤＭ復調部３でデジタル信号に復調される。このとき、得られたＲＦ信号はデジタル放送か否かがＯＦＤＭ復調部で判定される（図２のＳ３）。もし、デジタル信号でなければ、以下の処理をスキップし、次の物理チャンネルの選局に移る（図２のＳ３でＮＯの分岐）。
【００５６】
チューナー部２から得られたＲＦ信号がデジタル放送であれば、トランスポートストリームＴＳが得られる（図２のＳ３でＹＥＳの分岐）。トランスポートストリームＴＳ中には、映像および音声の情報だけでなく、そのトランスポートストリーム中に多重された番組に関わる付加情報も含まれる。制御部６は、その付加情報を受け取り付加情報の中から、そのトランスポートストリームを放送する放送局名、リモコンキーＩＤ、放送局が属する系列を番号で定義した系列ＩＤ等の情報を抜き取る。
【００５７】
次に制御部６は、現在行われているスキャンは基本領域スキャンか、移動用領域スキャンかを判断する（図２のＳ４）。ここでは移動用領域スキャンであるので、処理はＮＯに進む（図２のＳ４でＹＥＳの分岐）。
【００５８】
そして、制御部６は、プリセットメモリ７の移動用領域３２を参照し、取得した系列ＩＤと同じ系列ＩＤを持つ選局キーの有無を探す（図２のＳ５）。取得した系列ＩＤと同じ系列ＩＤを持つ選局キーがあった場合は、その選局キーに対して放送局名、サービスや物理チャンネル等を記録する（図２のＳ６）。
【００５９】
同じ系列ＩＤがなければ、リモコンキーＩＤに基づいて記録する（図２のＳ７）。
【００６０】
最後に、選局された物理チャンネルはプリセット処理で探すべき最後の物理チャンネルか否かを判断し（図２のＳ８）、最後でなければ次の物理チャンネルに移り（図２のＳ８でＮＯの分岐）、最後であれば終了する（図２のＳ８でＹＥＳの分岐）。
【００６１】
図３を用いて具体的に説明すると、移動用領域スキャンを始めて、ＹＹ県の放送局の１つである物理チャンネル１３のＡ放送を受信したとする。Ａ放送の系列ＩＤは「４」であるので、同じ系列ＩＤが関係付けられている移動用領域３２の選局キー「１」に割り当てられる。すなわち、基本領域スキャンにおいては、Ａ放送はリモコンキーＩＤに基づいてプリセットされたが、移動用領域スキャンでは系列ＩＤに基づいてプリセットされた。
【００６２】
次に物理チャンネル１５のＢ放送が受信され、同様に選局キー「２」に割り当てられる。そして物理チャンネル１６のＯ放送が受信されると、その系列ＩＤ「４」に基づいて選局キー「１」に割り当てられる。ここですでに選局キー「１」にはＡ放送が割り当てられているが、本願は、さらにＯ放送の重複割り当てを許すことでユーザーの利便性を向上させる。
【００６３】
車の移動による移動用領域スキャンの結果を図５に示す。図５の（ａ）は図４のＰ１地点での、（ｂ）はＰ２地点での、（ｃ）はＰ３地点での、それぞれ移動用領域スキャンによる移動用領域の結果を示す。なお、このように移動用スキャンによって移動用領域の内容が書き換えられても、基本領域の内容はそのまま保持される。そして、基本領域の内容が変わらないので、基本領域からコピーされる選局キー番号と系列ＩＤの関係は、Ｐ１からＰ３のいずれの地点においても保持される。
【００６４】
すなわち、図５（ｃ）において、Ｏ放送は選局キー「１」に割り当てられているが、これはリモコンキーＩＤに基づく割り当てではなく、系列ＩＤに基づく割り当てである。従って、移動用領域にプリセットされたＯ放送のリモコンキーＩＤは「１」でない場合がありえる。
【００６５】
以上のように基本領域と移動用領域の２つのバンクをメモリに持ち、選局キー番号と系列ＩＤの関係を基本領域から移動用領域へと反映させるようにすることで、移動先でのプリセットの状況に関らず、バンクの切換えだけで主たる生活圏のプリセット状態を復元することができる。
【００６６】
なお、クロスネット局という複数の系列に属する放送局が受信できた場合のプリセット方法として、「基本領域スキャン」で発見された場合は、この放送局のプライマリの系列ＩＤを選局キーに対応させたり、移動先で「移動用領域スキャン」した場合は、これらの系列に対応する選局キー全てにこの放送局を割り当てる方法などが考えられる。また、系列に属さない放送局の場合は、空きの選局キーに割り当てる方法などが考えられる。
【００６７】
ここで、「クロスネット局」とは、複数の系列に属している放送局のこと。現在ではテレビ大分（フジテレビ／日本テレビ）・テレビ宮崎（フジテレビ／日本テレビ／テレビ朝日）・福井放送（日本テレビ／テレビ朝日）がクロスネット局に該当する。
また、「プライマリの系列ＩＤ」とは、クロスネット局は複数の系列に属しているので、系列ＩＤを複数持っている。その中で優先度が一番高い系列ＩＤをプライマリの系列ＩＤという。ちなみにプライマリの次に優先度が高い系列ＩＤを「セカンダリの系列ＩＤ」という。
【００６８】
以上のように選局キーに対して複数の放送局を系列ＩＤに基づいてプリセットされた受信機のより具体的な使用の態様についてさらに説明する。
【００６９】
図６は本実施の形態の使用される態様例を示す。本発明の受信機は車載用テレビとして用いられるため、車のプロントパネル部に表示部８と機能・選局キー２４などで構成される。図１の操作部５は機能・選局キー２４でもいいし、リモコン３４でも構わない。なお、機能・選局キーは、「Ｆ１」などと書かれた機能キーと数字が書かれた選局キーを総称している。
【００７０】
図７はリモコン３４の詳細を例示する。リモコン３４は、電源キー２１、プリセットメモリ切換キー２２、チャンネルアップダウンキー２３などの操作キーと機能・選局キー２４を有する。
【００７１】
図６乃至図７において、機能キーには、「基本領域スキャン」「移動用領域スキャン」といった機能を単独で起動するキーを設けてもよい。また、プリセットメモリ切換キー２２の押下げ回数や、表示部８への選択表示からの選択（ソフトウェアによるメニューからの選択。「ソフトメニュー」。）によって、選ぶこともできる。
【００７２】
本実施の形態で説明したように、基本領域スキャンが主たる生活圏でのプリセットであることを考慮すると、基本領域のプリセットは頻繁に行う処理とは考えにくい。一方、移動用領域スキャンは車が移動し、フリンジエリアでの走行や、他の放送エリアに入る毎に行う必要のある処理であるので、頻繁に行われる可能性が高い。よって、基本領域スキャンは、ソフトメニューによる比較的操作回数が多い操作を割り当ててもよいが、移動用領域スキャンは、専用のキーを割り当てるか、簡単な動作でできるようにするのが好ましい。
【００７３】
例えばチャンネルアップダウンキー２３の長押で移動用領域スキャンができるようにし、プリセットメモリ切換キー２２を設ける。これで、走行中に移動用領域スキャンを行う際は、アップダウンキー２３を長押すれば、そのとき受信できる放送局を系列ＩＤに基づいてプリセットすることができ、主たる生活圏に戻った際には、プリセットメモリ切換キー２２の押し下げ動作だけで、基本領域へのバンク切換えが可能になる。
【００７４】
なお、選局に基本領域を用いている際に、移動用領域スキャンを行うと、自動的に移動用領域にバンクが切り替わるようにしておけば、なお好適である。
【００７５】
図８はプリセットを行っている最中の表示部８の表示状態の例を示す。画面には「チャンネルサーチ中」という表示があり、受信機がプリセットを行っている最中であることをユーザーに示す。この表示で「基本領域スキャン」「移動用領域スキャン」といった区別をして表示してもよい。
【００７６】
また、プリセットの状況を示す進捗状況２５が示される。物理チャンネルは有限個であるので、現在どの程度までプリセットが進行しているかをユーザーに知らせる。ここでは棒状の表示としているが、円状もしくは他の形状でもよく、調べるべきチャンネルの総数に対して、現在プリセット処理が終わった数の比を示す方法であれば限定するものではない。
【００７７】
また、受信可能局２６も示される。これによってユーザーはどのような放送局が受信できるのかを把握することができる。ここでは、放送局名とサービス番号を示したが、系列の番号やその名称、選局キー番号との対応などを示してもよい。
【００７８】
図９は、表示部８に現在のプリセットメモリ７の内容を表示する場合を例示する。ここでは、図３の移動用領域３２のプリセットメモリの状態を示している。選局キー番号と系列名と放送局名、サービス番号を表示しているが、これに限定されるものではない。系列名は名称で表示しているが、系列ＩＤの番号をそのまま表示してもよい。このようにプリセットメモリ７の内容を表示部８に表示することで、ユーザーは現在どの選択キーでその系列の番組を選択できるのかを一目で把握することができる。同様に基本領域３１の内容を示すことができることはいうまでもない。
【００７９】
図１０は、選局する場合のサービスの移り変わりを例示する。これは図３の移動用領域３２での場合である。選局キー番号「１」には、Ａ放送とＯ放送が割り当てられており、それぞれ３つのサービスを提供している。図６の選局キー２４もしくはリモコン３４の選局キー２４（図７）の「１」のキーを押下げる毎に、図１０のようにＡ放送のサービス番号「０１１」、「０１２」「０１３」、Ｏ放送のサービス番号「０３１」「０３２」「０３３」の順にサービスが変わる。これらは、同じ系列の放送局なので、同じ番組を放送している場合が多い。従って、同じ「１」のキーを押下げるという簡単な操作で同一番組を継続視聴しやすくなる。
【００８０】
具体的な動作を説明する。図１の構成において、現在選局キー「４」に対応する放送を視聴しているユーザーが操作部５の選局キーで「１」のキーを押下げる場合を考える。制御部６はこれを検知し、プリセットメモリ７の移動用領域３２の内容を確認する。そしてＡ放送とＯ放送が割り当てられていることを知る。
【００８１】
制御部６は、まずＡ放送を選局するようにチューナー部２に指示ＯＲＦを出す。チューナーは指示されたＡ放送に対応する物理チャンネルを選択し、同調された信号ＳＲＦを出力する。次に、制御部６はさらにサービス０１１を出力するようにＭＰＥＧデコード部４に指示を出す。従って、信号ＳＲＦを受け取ったＯＦＤＭ復調部３はこれを復調し、トランスポートストリームＴＳを出力する。そして、ＭＰＥＧデコード部が制御部６から指示されたサービス０１１をデコードし、映像信号ＳＶと音声信号ＳＡを出力する。
【００８２】
ここで、さらに同じ選局キー「１」が押下げられたら、制御部６は、ＭＰＥＧデコード部４に次のサービス０１２の出力を指示する。このようにして、選局キー「１」が押下げられる毎に、プリセットメモリの内容を確認し、順次サービスの出力をＭＰＥＧデコード部４に指示する。Ａ放送が終わったら、こんどはチューナー部２にＯ放送の選局を指示し、Ｏ放送中のサービス０３１から順に出力するようにＭＰＥＧデコード部４に指示を出す。
【００８３】
なお、ここでは、制御部６がプリセットメモリ７における選局キー「１」に関する情報を取得して、選局キー「１」が操作される毎に次々と選局を行う場合を示したが、ポインタを用いて選局キーが操作される毎にプリセットメモリ７の所定のデータを読む構成にしてもよい。
【００８４】
このようにすることで、同じ選局キーを押す毎に、割り当てられた放送を選択し、サービスを出力する。従って、受信できるサービスの全てを順次選局してゆくアップダウンキーの動作とは異なるものである。
【００８５】
図１１は、表示部８の表示例を示す。これは小さな画面にできるだけ必要な情報を示すための工夫である。選局キー番号１２は、現在選局しているキー番号を示す。その下に示す「２／４」は、現在の選局キー「１」に割り当てられている全サービス数が４であることを示し（図１１の１４番）、現在その２番目のサービスを視聴していることを示す（図１１の１３番）。これは例えば、系列ＩＤが同じ２つの放送局が選局キー番号「１」に割り当てられていて、そのうちの１つが１つのサービスを、他の１つに３つのサービスを提供している場合などが該当する。また、この番号１３を現在視聴中の放送局が同じ選局キーに割り当てられている全放送局中の何番目かを表す番号にして、サービス数１４を選局キーにプリセットされている全放送局数にしてもよい。
【００８６】
放送局名１５、番組名１７、サービス番号１６、放送時間１８は、いずれも現在視聴している番組の情報を示す。受信レベル１９は現在の受信レベルを表す。プリセットメモリの種類を表すアイコン２０は、現在選択しているメモリバンクが「基本領域」か「移動用領域」であるかを示す。例えば、図１１のアイコン２０は「基本領域」を示している。
【００８７】
これらの表示は、ソフトキーで実現することもできるが、簡単な操作のためには、機能キーを独自に用意したほうがよい。例えば、選局キーを押すことによって必ずこの表示がされるようにし、一定時間後に自動的に消えるようにすることでもよい。
【００８８】
このように選局キーに、ユーザーが使い慣れた系列局の複数割り当てを許して、表示部に図１１のような表示を実現することで、プリセットが頻繁に生じ、小さい画面でＥＰＧが使いにくい環境でも容易に選局をすることが可能になる。
【００８９】
なお、実施の形態においては、２バンクについて説明したが、バンクの数は２つに限定されるものではなく、３つ以上であってもよいし、１つであってもよい。
【産業上の利用可能性】
【００９０】
本発明のデジタル放送受信機は、１つの選局キーに複数の放送局をプリセットするため選局キー数以上のプリセットができ、なおかつ、同じ選局キーを押すという簡単操作でプリセットされている複数の放送局の複数のサービスの切換えができるという利便性を有しており、移動受信を想定した車載用受信機や携帯用受信機、および放送区域が重なった地域で使用される家庭用受信機などにも適用可能である。
【図面の簡単な説明】
【００９１】
【図１】本発明におけるデジタル放送受信機の構成を示す概略ブロック図
【図２】本発明を適用したときのプリセット設定の動作を示すフロー図
【図３】実施の形態２におけるプリセットメモリ内の切り替えを表す図
【図４】放送エリアのフリンジ領域を移動する様子を示す図
【図５】実施の形態におけるプリセットメモリのデータの遷移を示す図
【図６】本発明の使用形態の例を示す図
【図７】リモコンを示す図
【図８】チャンネルサーチ時の表示の例を示す図
【図９】プリセットされたプリセットメモリの内容を表示させた場合の例を示す図
【図１０】選局キーを操作した時のサービスの移り方の例を示す図
【図１１】表示部に選局情報を表示する例を示す図
【符号の説明】
【００９２】
１    アンテナ
２    チューナー部
３    ＯＦＤＭ復調部
４    ＭＰＥＧデコード部
５    操作部
６    制御部
７    プリセットメモリ
８    表示部
９    音声出力部
１０    選局キー番号
１１    系列ＩＤ
１２    選局キー番号
１３    選局キーに割り当てられている全サービス中の何番目のサービスを視聴中かを示す番号
１４    選局キーに割り当てられているサービス数
１５    放送局名
１６    サービス番号
１７    番組名
１８    放送時間
１９    受信レベル
２０    プリセットメモリの種類を表すアイコン
２１    電源キー
２２    プリセットメモリ切換キー
２３    チャンネルキー
２４    選局キー
２５    進捗状況
２６    受信可能局
２７    道路
２８    YY県の放送局の受信可能エリア
２９    ZZ県の放送局の受信可能エリア
３０    YY県とZZ県の放送局の受信可能エリア
３１    基本領域
３２    移動用領域
３３    ハンドル
３４    リモコン
３５    コピーされる領域
【図１】
2006100953.tif 000003
【図２】
2006100953.tif 000004
【図３】
2006100953.tif 000005
【図４】
2006100953.tif 000006
【図５】
2006100953.tif 000007
【図６】
2006100953.tif 000008
【図７】
2006100953.tif 000009
【図８】
2006100953.tif 000010
【図９】
2006100953.tif 000011
【図１０】
2006100953.tif 000012
【図１１】
2006100953.tif 000013